(57)【特許請求の範囲】
【請求項１】
搬送ベルトに沿って少なくとも３個配置されたトナー像担持体を有し、当該トナー像担持体のそれぞれに形成されたトナー像を、搬送ベルト上を搬送される記録シートを被転写体として多重転写するタンデム型の画像形成装置であって、
前記トナー像担持体毎に設けられ、各トナー像担持体から被転写体にトナー像を転写させるための電界を形成する電界付与体を有する転写手段と、
転写手段の電界付与体に所定の電流を通電した際に当該電界付与体に加わる電圧に基づいて、当該転写手段の転写電圧を決定する転写電圧決定手段と、
前記転写電圧決定手段が転写電圧を決定するに際し、決定対象となる転写手段の両側に他の転写手段が存する場合は、少なくとも当該両側に隣接する転写手段の電界付与体に、一方側にしか他の転写手段が存しない場合は少なくとも当該一方側に隣接する転写手段の電界付与体に所定の電圧を印加する電圧印加手段とを備えたことを特徴とする画像形成装置。
【請求項２】
転写ベルトに沿って少なくとも３個配置されたトナー像担持体を有し、当該トナー像担持体のそれぞれに形成されたトナー像を、転写ベルトを被転写体として多重転写するタンデム型の画像形成装置であって、
前記トナー像担持体毎に設けられ、各トナー像担持体から被転写体にトナー像を転写させるための電界を形成する電界付与体を有する転写手段と、
転写手段の電界付与体に所定の電流を通電した際に当該電界付与体に加わる電圧に基づいて、当該転写手段の転写電圧を決定する転写電圧決定手段と、
前記転写電圧決定手段が転写電圧を決定するに際し、決定対象となる転写手段の両側に他の転写手段が存する場合は、少なくとも当該両側に隣接する転写手段の電界付与体に、一方側にしか他の転写手段が存しない場合は少なくとも当該一方側に隣接する転写手段の電界付与体に所定の電圧を印加する電圧印加手段とを備えたことを特徴とする画像形成装置。
【発明の詳細な説明】
【０００１】
【発明の属する技術分野】
本発明は、複写機、プリンタ等の画像形成装置に関し、特に、タンデム型のように複数箇所でトナー像の転写が行われるような画像形成装置における転写装置部分の改良に関する。
【０００２】
【従来の技術】
静電転写方式による例えば感光体ドラム上に形成されたトナー像の転写紙への転写は、転写紙を介して感光体ドラムに対向して設けられた転写ローラによって、転写ローラ側がトナーに対し逆極性となるような転写電界を形成し、トナーを転写紙に引き寄せることによって行う。
【０００３】
この場合、転写ローラ等の抵抗値は、温度・湿度等の周囲の環境による影響を受けて大きく変動する。このため、転写ローラに印加する電圧をいかに定電圧に制御したとしても、転写電流が変動してしまい、安定した転写を行うことができない。
タンデム型のカラー複写機は、カラープリントを高速に行うことができるものとして、近年注目されているものであるが、転写ベルトに沿って列設された複数の感光体ドラム毎に転写部が設けられており、上記したような問題が発生している。
【０００４】
ここで、タンデム型のように複数の転写部を有する複写機ではなく、単一の転写部しか有しない複写機に関するものであるが、上記の問題を解決する手段として以下に記すような方法が、特開平２−１２３３８５号公報、特公平７−１２０１１７号公報等に開示されている。
即ち、画像形成プロセス前に最適な転写電流に相当する電流を転写ローラに通電してその際の電圧値を測定し、画像形成プロセス時には、測定結果に応じた電圧（最適転写電圧）を転写ローラに印加するといった方法である。
【０００５】
これにより、環境が変動したとしても良好な転写が行えることとなる。
【０００６】
【発明が解決しようとする課題】
しかしながら、転写部（転写ローラ）を複数有するタンデム型のカラー複写機において、上記の方法にしたがって各転写ローラ毎に最適転写電圧を求め、画像形成を行っても、なお転写不良が発生してしまうという問題が生じた。
本発明は、上記の課題に鑑み、タンデム型のカラー複写機のように転写部を複数有する画像形成装置であっても、転写不良を防止して、高品質な仕上がり画像が得られる画像形成装置を提供することを目的とする。
【０００７】
【課題を解決するための手段】
上記の目的を達成するため、本発明に係る画像形成装置は、搬送ベルトに沿って少なくとも３個配置されたトナー像担持体を有し、当該トナー像担持体のそれぞれに形成されたトナー像を、搬送ベルト上を搬送される記録シートを被転写体として多重転写するタンデム型の画像形成装置であって、前記トナー像担持体毎に設けられ、各トナー像担持体から被転写体にトナー像を転写させるための電界を形成する電界付与体を有する転写手段と、転写手段の電界付与体に所定の電流を通電した際に当該電界付与体に加わる電圧に基づいて、当該転写手段の転写電圧を決定する転写電圧決定手段と、前記転写電圧決定手段が転写電圧を決定するに際し、決定対象となる転写手段の両側に他の転写手段が存する場合は、少なくとも当該両側に隣接する転写手段の電界付与体に、一方側にしか他の転写手段が存しない場合は少なくとも当該一方側に隣接する転写手段の電界付与体に所定の電圧を印加する電圧印加手段とを備えたことを特徴とする。
【０００８】
上記の目的を達成するため、本発明に係る画像形成装置は、転写ベルトに沿って少なくとも３個配置されたトナー像担持体を有し、当該トナー像担持体のそれぞれに形成されたトナー像を、転写ベルトを被転写体として多重転写するタンデム型の画像形成装置であって、前記トナー像担持体毎に設けられ、各トナー像担持体から被転写体にトナー像を転写させるための電界を形成する電界付与体を有する転写手段と、転写手段の電界付与体に所定の電流を通電した際に当該電界付与体に加わる電圧に基づいて、当該転写手段の転写電圧を決定する転写電圧決定手段と、前記転写電圧決定手段が転写電圧を決定するに際し、決定対象となる転写手段の両側に他の転写手段が存する場合は、少なくとも当該両側に隣接する転写手段の電界付与体に、一方側にしか他の転写手段が存しない場合は少なくとも当該一方側に隣接する転写手段の電界付与体に所定の電圧を印加する電圧印加手段とを備えたことを特徴とする。
【００１１】
【発明の実施の形態】
以下、本発明にかかる画像形成装置の実施の形態について、図面を参照しながら説明する。
図１は、実施の形態に係るタンデム型複写機の画像形成部の概略構成図を示す。なお、ここでは複写機を例に取り上げているが、プリンタ等の画像形成装置にも適用できることは言うまでもない。本図に示すように、この画像形成部は、主に、４つの作像ユニット１０Ｃ、１０Ｍ、１０Ｙ、１０Ｋと転写ユニット２０と定着ローラ３０とから構成されており、複写機の筐体下部空間に水平に架設された転写ベルト２１にて記録シートＳを搬送しつつ各作像ユニット１０Ｃ〜１０Ｋによって形成された各色成分のトナー画像を記録シート上に転写し、各色の重ね合わせによりカラー画像を形成するものである。
【００１２】
作像ユニット１０Ｃ〜１０Ｋは感光体ドラム１１Ｃ〜１１Ｋを中心としてその周囲に帯電チャージャ、現像器等を配し、光変調されたレーザ光で、矢印ａの方向に回動する感光体ドラムを露光しつつ、露光によって形成される静電潜像を、現像器でトナーとして顕像化する、いわゆる静電複写方式で画像形成するユニット構造体である。尚、各ユニットの現像器は、レーザ光の光変調色成分に対応して、Ｃ（シアン），Ｍ（マゼンダ），Ｙ（イエロー），Ｋ（ブラック）のトナーを現像剤として感光体ドラムに供給する。
【００１３】
転写ユニット２０は、転写ベルト２１、当該転写ベルト２１を張架し循環走行させる駆動ローラ２２と従動ローラ２３、転写ベルト表面に付着したトナー等を除去しベルト表面を清浄にするベルトクリーナ２４、転写ローラ２５Ｃ〜２５Ｋ及び定電圧・定電流電源２６Ｃ〜２６Ｋで構成される。
転写ローラ２５Ｃ〜２５Ｋには、カーボンなどが添加されたゴムローラ等が使用され、転写ベルト２１は、体積抵抗値１０4〜１０13Ω・cm程度の半導電性の材料で形成される。
【００１４】
この転写ベルト２１によって矢印ｂの方向に搬送される記録シートＳには、感光体ドラム１１Ｃ〜１１Ｋ下方の転写位置において、転写ベルト２１の裏に設置された転写ローラ２５Ｃ〜２５Ｋが発生する電界により、感光体ドラム１１Ｃ〜１１Ｋに形成された負の電荷を帯びた各トナー像が順次転写され、トナー像が転写された記録シートＳは、転写ベルト２１により定着ローラ３０へと搬送され、ここで、像定着された後、図示しない排出トレイへ排出される。
【００１５】
各定電圧・定電流電源２６Ｃ〜２６Ｋは、各転写ローラ２５Ｃ〜２５Ｋに対応して設けられており、各転写ローラ２５Ｃ〜２５Ｋを定電流制御又は定電圧制御する。各定電圧・定電流電源２６Ｃ〜２６Ｋはいずれも同様の構成なので、定電圧・定電流電源２６Ｃを例に挙げて説明する。
図２に示すように、定電圧・定電流電源２６Ｃは、定電流制御部２６１Ｃ、定電圧制御部２６２Ｃ及び切換スイッチ２６３Ｃで構成される。
【００１６】
定電流制御部２６１Ｃは、後述するＣＰＵ４１によって起動され、予め設定された最適な転写電流値等に相当する所定の電流を転写ローラに通電する。この所定の電流値は、構成部材等の違いによって機種毎に異なるものであるが、実験等により容易に求められるものである。
定電圧制御部２６２Ｃは、ＣＰＵ４１によって起動され、ＣＰＵ４１から出力される電圧設定信号に応じた一定の電圧が転写ローラに印加されるように制御する。
【００１７】
切換スイッチ２６３Ｃには、電磁リレー等が使用され、ＣＰＵ４１からの切換信号によって、転写ローラ２５Ｃが、定電流制御部２６１Ｃ、定電圧制御部２６２Ｃ、接地のいずれかと接続される。
ここで、接地に接続された状態を「定電圧・定電流電源（単に「電源」と呼ぶ場合もある）がオフ」と、切換スイッチが定電流制御部に接続され当該定電流制御部が起動されている状態を「定電流電源がオン」と、切換スイッチが定電圧制御部に接続され当該定電圧制御部が起動されている状態を「定電圧電源がオン」とそれぞれ言うことにする。
【００１８】
また、各転写ローラ２５Ｃ〜２５Ｋ毎に対応して、その電圧を測定する電圧測定部２７Ｃ〜２７Ｋが設けられており、測定結果は、ＣＰＵ４１に出力される。ＣＰＵ４１には、ＣＰＵ４１の作業領域となるＲＡＭ４２、プログラム等を格納するＲＯＭ４３が接続されており、ＣＰＵ４１は、複写機全体を統括するメインＣＰＵ（不図示）からの指示をきっかけに、ＲＯＭ４３のプログラムにしたがって処理を行う。転写電圧の決定には、以下のような処理を行う。
【００１９】
先ず、メインＣＰＵからの指示があると、各定電圧・定電流電源２６Ｃ〜２６Ｋの切換スイッチ２６３Ｃ〜２６３Ｋを定電流制御部２６１Ｃ〜２６１Ｋに切り換える。
次に、各定電流制御部２６１Ｃ〜２６１Ｋを起動し、全ての定電流制御部２６１Ｃ〜２６１Ｋが起動されている状態で、各電圧測定部２７Ｃ〜２７Ｋから出力される測定結果を各定電圧・定電流電源２６Ｃ〜２６Ｋに対応付けてＲＡＭ４２に記憶する。以下、定電流制御部が起動されている転写ローラの電圧値を当該転写ローラに対する「定電圧制御基準値」という。
【００２０】
上記測定が終了すると、各定電流制御部２６１Ｃ〜２６１Ｋを停止し、各切換スイッチ２６３Ｃ〜２６３Ｋを定電圧制御部２６２Ｃ〜２６２Ｋに切り換え、定電圧制御部２６２Ｃ〜２６２Ｋを起動し、定電圧制御部２６２Ｃ〜２６２Ｋに対し、ＲＡＭ４２に記憶されている定電圧制御基準値に応じた電圧設定信号を出力する。これによって、各定電圧制御部２６２Ｃ〜２６２Ｋは、転写ローラ２５Ｃ〜２５Ｋや転写ベルト２１の抵抗値の変化に応じた転写電圧を各転写ローラ２５Ｃ〜２５Ｋに印加することになる。したがって、各転写ローラ２５Ｃ〜２５Ｋ−各感光体ドラム１１Ｃ〜１１Ｋ間には、適切な転写電流が流れることになって、良好な転写画像が得られることになる。
【００２１】
上記実施の形態では、全ての定電流電源がオンされている状態で各転写ローラ２５Ｃ〜２５Ｋに対する定電圧制御基準値を測定した。これに対し、各定電流電源を順次個別にオンして、定電圧制御基準値を得る方法も考えられるが、そのようにすると以下のような問題が発生することが判明した。
例えば、転写ローラ２５Ｃの定電流電源のみをオンし、他の転写ローラ２５Ｍ〜２５Ｋの電源はオフして、転写ローラ２５Ｃに対する定電圧制御基準値を測定した場合を考える。この場合は、転写ローラ２５Ｃに通電した電流の一部が、転写ベルト２１、隣接する転写ローラ２５Ｍを介して、定電圧・定電流電源２６Ｍに流れてしまう（以下、このように、転写ローラに通電した電流の内、対応する感光体ドラム側以外に流れる電流を「漏れ電流」と呼ぶ。）。したがって、転写電流のほとんどが感光体ドラム１１Ｃ側に流れる画像形成プロセス時（画像形成プロセス時には、全ての転写ローラに転写電圧が印加されており、各転写ローラ付近の転写ベルトの裏面側の電位はほぼ等しくなるので、転写電流が隣接する転写ローラ側に流れてしまうといったことがほとんどない）とは異なった状態で転写ローラ２５Ｃにかかる電圧（定電圧制御基準値）を測定することになり、当該測定結果に基づいた転写電圧は不適切なものになってしまう。近年の装置の小型化傾向に伴い、隣接する転写ローラの間隔が短くなると、その間の転写ベルトの抵抗が小さくなるので、上記した漏れ電流による問題が一層顕著になる。
【００２２】
これに対し、本実施の形態では、上述したように、各転写ローラに対する定電圧制御基準値を測定するに際し、全ての定電流電源をオンし各転写ローラに所定の電圧を印加しているので、各転写ローラ付近の転写ベルトの裏面側の電位はほぼ等しくなり、各転写ローラに対応して対応する定電流制御部から通電された電流は、そのほとんどが対応する感光体ドラム側へ流れることになる。即ち、実際の画像プロセス時と同様な状態で、定電圧制御基準値を測定することが可能となり、その測定値（定電圧制御基準値）に基づいて決定された転写電圧によって画像形成がおこなわれることになるので良好な仕上がり画像が得られる。
【００２３】
なお、定電圧制御基準値の測定は、▲１▼複写機の電源投入後のウォームアップ時間の間、▲２▼所定時間経過する度、▲３▼所定枚数のコピーがなされる度、▲４▼コピースタートキーが押下された後画像形成プロセスが実行される前等いずれのタイミングで行ってもよい。上記のようにすると全ての転写ローラに対する定電圧制御基準値を一時に測定できるので、個別に測定する場合と比較して、測定時間が短縮され、速やかに画像形成プロセスに移行することができる。
【００２４】
また、上記の例では全ての定電流電源がオンされている状態で各転写ローラ２５Ｃ〜２５Ｋに対する定電圧制御基準値を同時に測定したが、少なくとも測定対象となる転写ローラに隣接する転写ローラの定電流電源がオンされていれば同様の効果が得られる。「隣接する転写ローラ」とは、対象となる転写ローラの両側に他の転写ローラが存する場合は、当該両側の他の転写ローラを、一方側にしか他の転写ローラが存しない場合は、当該他の転写ローラを指す。
【００２５】
例えば、転写ローラ２５Ｃに対する定電圧制御基準値を測定する場合は、隣接する転写ローラである転写ローラ２５Ｍの定電流電源がオンされていればよい。図３は、転写ローラ２５Ｍの定電流電源をオンした場合とそうでない場合（電源をオフ）とで、得られる転写ローラ２５Ｃに対する定電圧制御基準値の違いを示した図である。本図中段に示すように転写ローラ２５Ｃと２５Ｍの両方の定電流電源がオンして得られる転写ローラ２５Ｃに対する定電圧制御基準値が本図上段に実線で示されている。また、本図下段に示すように転写ローラ２５Ｃの定電流電源のみをオンにして得られる転写ローラ２５Ｃに対する定電圧制御基準値が本図上段に一点鎖線で示されている。なお、本図上段の点線は、転写ローラ２５Ｃに通電した電流が全て感光体ドラム１１Ｃ側に流れたとした場合（漏れ電流がまったくない場合）に実験的に得られる（例えば、転写ローラ２５Ｍ、２５Ｙ、２５Ｋを取り除いて求められる）電圧値である。
【００２６】
本図からわかるように、転写ローラ２５Ｃに対する定電圧制御基準値を測定する場合に、隣に位置する転写ローラ２５Ｍの定電流電源をオンし、転写ローラ２５Ｍに所定の電圧を印加した場合には、漏れ電流が全くない場合にほぼ等しい定電圧制御基準値が得られるのに対し、転写ローラ２５Ｍの電源をオフにした場合に得られる定電圧制御基準値は、漏れ電流が全くないとした場合のほぼ半分以下になってしまう。
【００２７】
なお、図３中段では、両定電流電源をオンする時期を全く一致させているが、必ずしもそのようにする必要はなく、図４に示すように、両定電流電源をオンする時期が一部重なっていればよい。要は、重なっているタイミングで定電圧制御基準値を測定すればよいのである。
以上の実施の形態では、電界付与体に転写ローラ（２５Ｃ〜２５Ｋ）を用いた例を示したが、本発明は、電界付与体として、図５（ａ）に示すように、導電性繊維からなるブラシ２５１Ｃ〜２５１Ｋを用いた場合や、図５（ｂ）に示すように導電性樹脂又は導電性ゴムからなるブレードを用いた場合にも適用可能である。これらの場合にも、電界付与体以外は、図１に示すものと同様に構成される。
【００２８】
また、以上の実施の形態では、感光体ドラム１１Ｃ〜１１Ｋ上に形成されたトナー像を記録シートに順次直接転写する方式のタンデム型機を例にしたが、先ず感光体ドラム１１Ｃ〜１１Ｋ上のトナー像を転写ベルト（中間転写体）に重ね合わせて転写し、転写ベルトに転写されたトナー像を記録シート上に再転写する中間転写方式のタンデム型機にも適用可能である。図６（ａ）にこのようなタンデム型機の画像形成部の概略構成を示す。
【００２９】
本図に示す画像形成部は、基本的に、図１に示す画像形成部の構成に加えて、導電性部材から成るバックアップローラ２８、２次転写ローラ２５３及び定電圧・定電流電源２６３が設けられている他は、図１に示すものと同様である。駆動ローラ２２の回転によって周回走行される転写ベルト２１上に、感光体ドラム１１Ｃ〜１１Ｋ下方の転写位置において、転写ベルト２１の裏に設置された（１次）転写ローラ２５Ｃ〜２５Ｋが発生する電界により、感光体ドラム１１Ｃ〜１１Ｋに形成された負の電荷を帯びた各トナー像が順次重ね合わせて転写され、転写ベルト２１上に重ね合わされた４色のトナー像を、タイミングを合わせて繰り出されてきた記録シートＳ上に、電界付与体である２次転写ローラ２５３にて一度に転写される。トナー像が転写された記録シートＳは、定着ローラ３０で像定着された後、図示しない排紙トレイへ排出される。
【００３０】
図６（ｂ）は、図６（ａ）に示す転写ローラ２５Ｃ〜２５Ｋに代えて、金属素材からなる１次転写ローラ２５４Ｃ〜２５４Ｋを用い、当該の配置位置を対応する感光体ドラム直下から転写ベルトの走行方向下流側に２〜１０ｍｍ程度ずらしたものである。本発明は、このようなタイプのタンデム型機にも適用が可能である。
【００３１】
図７は、参考例として示す、並置回転現像方式の現像器を備えた中間転写方式のカラープリンタである。
このカラープリンタは、複数の現像ユニット５１Ｃ〜５１Ｋ（図示例では４個）を回転軸５２を中心に回転移動させ、感光体ドラム５３に形成された静電潜像の現像色に対応する現像ユニットを感光体ドラム５３に対向させる。対向された現像ユニットで現像されたトナー像は、電界付与体である１次転写ローラ６１にて中間転写体である転写ベルト５４に転写される。転写ベルト５４は複数のローラ６１〜６５及び６９で張架されており、駆動ローラ６２が矢印の方向に回転することによって周回走行する。現像ユニット５１Ｃ〜５１Ｋで順次現像された各色のトナー像は、周回走行する転写ベルト５４上に、一色ずつ重ね合わされる。４色のトナー像の転写ベルト５４上への重ね合わせが終了すると、当該４色のトナー像は、そのタイミングに合わせて給紙カセット５５から繰り出されてきた記録シート上に、電界付与体である２次転写ローラ６６にて一度に転写される。なお、２次転写ローラ６６と対向する位置に設けられているバックアップローラ６４は、ゴム等の絶縁性材料で形成されており、接地されておらず電気的にフローティング状態にあるため、２次転写ローラ６６の上流側に接地電極ローラ６９を設けてある。したがって、２次転写ローラ６６からの転写電流は、前記接地電極ローラ６９側へと流れる。トナー像が転写された記録シートＳは、搬送ベルト７１により定着ローラ７２へと搬送され、ここで、像定着された後、排紙トレイ７３へ排出される。
【００３２】
なお、１次転写ローラ６１、２次転写ローラ６６の各々には、図１に示したのと同様な、定電圧・定電流電源６７、６８が設けられており、図示しないＣＰＵによって当該定電圧・定電流電源６７、６８の制御がなされる。
上述したタンデム型の複写機同様、このカラープリンタのように二つの転写部（転写ローラ）が比較的接近して設けられている場合には、やはり上述した漏れ電流が問題になる。したがって、この場合、１次転写ローラ６１と２次転写ローラ６６の両方の定電流電源をオンした状態で、両転写ローラに対する定電圧制御基準値を同時に測定する。
【００３３】
また、一方の転写ローラに対する定電圧制御基準値のみを測定し、他方の転写ローラに対する定電圧制御基準値は測定しない場合であっても、他方の定電流電源をオンしておく必要があることは言うまでもない。
【００３４】
【発明の効果】
以上説明したように、本発明に係る画像形成装置によれば、転写手段の電界付与体に所定の電流を通電した際に当該電界付与体に加わる電圧に基づいて、当該転写手段の転写電圧を決定するに際し、決定対象となる転写手段の両側に他の転写手段が存する場合は、少なくとも当該両側に隣接する転写手段の電界付与体に、一方側にしか他の転写手段が存しない場合は少なくとも当該一方側に隣接する転写手段の電界付与体に所定の電圧が印加されるので、電界付与体に通電した電流が隣接する転写手段の電界付与体側に流れにくくなる。即ち、電界付与体に通電した電流のほとんどがトナー像担持体側に流れるといった画像形成プロセス時とほぼ同様な状態で得られる電圧に基づいて転写電圧が決定される。したがって、当該転写電圧が電界付与体に印加されることによって、転写不良が防止され良好な画像が得られることになる。
【図面の簡単な説明】
【図１】本発明の一適用例であるタンデム型複写機の画像形成部の概略構成図である。
【図２】上記画像形成部における転写ローラ周辺の概略構成図である。
【図３】上記画像形成部において、隣接する転写ローラの定電流電源をオンした場合とそうでない場合とで、得られる定電圧制御基準値の違いを示す図である。
【図４】定電圧制御基準値の測定タイミングを示す図である。
【図５】（ａ）は、電界付与体としてブラシを用いた画像形成部の概略構成を示す図である。
（ｂ）は、電界付与体として導電性ブレードを用いた画像形成部の概略構成を示す図である。
【図６】（ａ）は、本発明の一適用例である中間転写方式のタンデム型複写機の概略構成図である。
（ｂ）は、本発明の一適用例である中間転写方式のタンデム型複写機の概略構成図である。
【図７】  参考例である、並置回転現像方式の現像器を備えた中間転写方式のカラープリンタの概略構成を示す図である。
【符号の説明】
１１Ｃ、１１Ｍ、１１Ｙ、１１Ｋ  感光体ドラム
２１  転写ベルト
２５Ｃ、２５Ｍ、２５Ｙ、２５Ｋ  （１次）転写ローラ
２７Ｃ、２７Ｍ、２７Ｙ、２７Ｋ  電圧測定部
４１  ＣＰＵ
４２  ＲＡＭ
４３  ＲＯＭ
５３  感光体ドラム
５４  転写ベルト
６１  １次転写ローラ
６６  ２次転写ローラ
６７  定電圧・定電流電源
６８  定電圧・定電流電源
６９  接地電極ローラ
２５１Ｃ、２５１Ｍ、２５１Ｙ、２５１Ｋ  転写ブラシ
２５２Ｃ、２５２Ｍ、２５２Ｙ、２５２Ｋ  転写ブレード
２５４Ｃ、２５４Ｍ、２５４Ｙ、２５４Ｋ  転写ローラ
２６１Ｃ、２６１Ｍ、２６１Ｙ、２６１Ｋ  定電流制御部
Ｓ  記録シート
【図１】
0003772505.tif 000002
【図２】
0003772505.tif 000003
【図３】
0003772505.tif 000004
【図４】
0003772505.tif 000005
【図５】
0003772505.tif 000006
【図６】
0003772505.tif 000007
【図７】
0003772505.tif 000008